(57)【要約】【課題】  解決しようとする問題点は液晶表示装置での昇圧回路の低消費電力化がなされていなかった点である。【解決手段】  光源と、該光源の発光光の透過を制御する液晶表示部と、クロック信号に応答して該液晶装置を駆動する電圧を発生させる昇圧回路とを有し、１つのフィールド期間中もしくは１つのサブフィールド期間中に前記液晶表示部に表示データを書き込む書き込み期間とデータの書き込みを休止する書き込み休止期間とを有する液晶表示装置であって、前記書き込み期間と少なくとも前記書き込み休止期間中の一期間とで前記クロック信号の周波数を異ならせた。【選択図】        図１
2006053349.tif 000002
【特許請求の範囲】
【請求項１】
ライン走査により表示部に電圧を印加してデータを書き込む書込走査期間と、データの書き込みを行わない非書込走査期間とを有する表示装置において、
前記書込走査期間では通常動作モードで動作し、前記非書込走査期間の少なくとも一部の期間では、前記通常動作モードより小さな消費電力である消電動作モードで動作することを特徴とする表示装置。
【請求項２】
前期表示装置は、前期画素に印加する電圧を発生するために所定のクロック信号で動作をする昇圧回路を有し、前記消電動作モードでは、前記昇圧回路が前記通常動作モードより小さい周波数の前記クロック信号で動作をすることを特徴とする請求項１に記載の表示装置。
【請求項３】
前記表示装置は、複数のカラー光を順次繰り返し発光する光源と、該光源の発光光の透過を制御する表示部と前記昇圧回路とを有しており、１つのフィールドを複数のサブフィールドに分け、該複数のサブフィールドの少なくとも一部の期間において前記複数のカラー光のうちの特定のカラー光を発光させるとともに、前記特定のカラー光に対応した画像を前記表示部に表示してカラー表示を行う表示装置であり、前記サブフィールドは少なくとも前記書込走査期間と、前記非書込走査期間とを有することを特徴とする請求項１又は２に記載の表示装置。
【請求項４】
光源と、該光源の発光光の透過を制御する液晶表示部と、クロック信号に応答して該液晶表示部を駆動する電圧を発生させる昇圧回路とを有し、１つのフレーム期間中に前記液晶表示部に表示データを書き込む書き込み期間とデータの書き込みを休止する書き込み休止期間とを有する液晶表示装置であって、
前記書き込み期間と少なくとも前記書き込み休止期間中の一期間とで前記クロック信号の周波数を異ならせたことを特徴とする液晶表示装置。
【請求項５】
前記クロック信号の周波数は前記書き込み期間では高めに、少なくとも前記書き込み休止期間の一期間では低めに設定したことを特徴とする請求項４記載の液晶表示装置。
【請求項６】
複数のカラー光を順次繰り返し発光する光源と、該光源の発光光の透過を制御する液晶表示部と、クロック信号に応答して該液晶表示部を駆動する電圧を発生させる昇圧回路とを有し、１つのフィールドを複数のサブフィールドに分け、該複数のサブフィールドの少なくとも一部の期間において前記複数のカラー光のうちの特定のカラー光を発光させるとともに、前記特定のカラー光に対応した画像を前記液晶表示部に表示してカラー表示を行う液晶表示装置であって、
前記サブフィールドは少なくとも前記液晶表示部に表示データを書き込む書き込み期間と、データの書き込みを休止する書き込み休止期間とを有し、
前記書き込み期間と少なくとも前記書き込み休止期間中の一期間とで前記クロック信号の周波数を異ならせたことを特徴とする液晶表示装置。
【請求項７】
前記クロック信号の周波数は前記書き込み期間では高めに、少なくとも前記書き込み休止期間中の一期間では低めに設定したことを特徴とする請求項６記載の液晶表示装置。
【発明の詳細な説明】
【技術分野】
【０００１】
本発明は、複数のカラー光、例えば３原色である赤、緑、青の光を順次繰り返し発光し、該カラー光に対応した画像を表示してカラー表示を行うＦＳＣ（フィールド・シーケンシャル・カラー）方式カラー表示装置に関する発明である。
このＦＳＣを用いた表示装置としては、複数のカラー光、例えば３原色である赤、緑、青の光を順次繰り返し発光し、該カラー光に対応した画像を液晶表示部に表示してカラー表示を行うＦＳＣ（フィールド・シーケンシャル・カラー）方式カラー液晶表示装置がある。
他の表示装置としては、米国テキサス・インスツルメンツが発明し製品化したＤＬＰ（デジタルライトプロセッシング）と称される表示装置がある。この表示装置としてはプロジェクタ表示装置として市場に出回っている。このＤＬＰの中核技術はＤＭＤ（デジタル・マイクロミラー・デバイス）という光半導体であり、ＣＭＯＳ半導体上に独立して動くミラーが４８万〜１３１万個敷き詰められている。このＤＭＤにランプの光をあてて、ＤＭＤの鏡で反射した光をレンズを通して投影する構成を為している。
本発明は、昇圧回路を有する表示装置に関し、特に該昇圧回路の消費電力を低減化した表示装置に関するものであり、上記の液晶表示装置及びＤＬＰのいずれにも用いることができ、下記に示した本発明の効果を得ることができる。
このような本発明の詳細な説明を以下に示すが、表示装置として市場に多く出回っている液晶表示装置を例として採り上げ本発明の詳細な説明を以下に行う。
【背景技術】
【０００２】
複数のカラー光、例えば３原色である赤、緑、青の光を順次繰り返し発光し、該カラー光に対応した画像を液晶表示部に表示してカラー表示を行うＦＳＣ（フィールド・シーケンシャル・カラー）方式カラー液晶表示装置はカラーフィルターによる光損失がないため、消費電力が小さい液晶表示装置の表示方式として有力となってきている。
このＦＳＣ方式カラー液晶表示装置では１フィールドを前記各色のサブフィールドに分割して各色毎の制御を行っている。
【０００３】
このような液晶表示装置では液晶の応答速度が遅いため、各画素の表示データを書き込む期間及び書き込んだ後すぐにバックライト光を点灯すると、液晶表示部で他の色用のデータが当該色のデータに書き換わる前にバックライト光が変わってしまい、混色が起きてしまうという問題がある。
この問題を避けるため、各サブフィールド中で各画素の表示データを書き込んだ後、液晶の応答する時間待ってから光源を点灯する事により、混色を避けるという技術が提案されている。（例えば特許文献１、図３，図１０参照）。
図１２はこの従来技術を説明する図で、１フィールドの期間Ｔを、赤色光を発光させるＲサブフィールドｔＲ，緑色光を発光させるＧサブフィールドｔＧ，青色光を発光させるＢサブフィールドｔＢの３つのサブフィールドに分割し、さらに、ＲフィールドｔＲを書き込み期間ｔｗｒ、応答期間ｔｗａ、発光期間ｔｌｉに分割している。このような分割はＧサブフィールド、Ｂサブフィールドにおいても同様である。
ＲサブフィールドｔＲにおいて、書き込み期間ｔｗｒにおいては液晶表示装置に赤色で表示すべきデータを書き込み、応答期間ｔｗａにおいては書き込まれたデータに応答して液晶の各画素が状態変化するのを待ち、発光期間ｔｌｉにおいて始めて赤色光を発光させている。このように書き込み期間ｔｗｒ及び応答待期間ｔｗａにおいては赤色光を発光させないことにより、液晶表示装置の各画素が赤色の表示データに従った状態になっていない時は液晶表示装置を照明せず、混色を避けている。
なお図１２において、各サブフィールドは各色の書き込み期間の始まりに同期して立ち
上がると定義している。
【０００４】
このような方式においても、液晶装置に書き込みを行うためには数種の高電圧信号が必要であり、該高電圧を発生させる昇圧回路を備えていた。しかし該昇圧回路を作動させるためのクロック信号Φは図示のように、書き込み期間ｔｗｒ、応答期間ｔｗａ、発光期間ｔｌｉを通じて周波数が一定であった。
このような従来方式で問題になるのは消費電力である。ＦＳＣ方式カラー液晶表示装置は電力効率が良いのが特徴であり、携帯電話のような電池を電源とする携帯機器には適した表示方式であるが、前記クロック信号Φの周波数を一定にしているため、昇圧回路部での消費電力が無視出来ないものになっているという問題があった。
特に昇圧回路が電力を消費するのは主に液晶表示部へ表示データを書き込む書き込み期間ｔｗｒであるが、従来は書き込み期間ｔｗｒも他の期間も消費電力の考慮なしに、一様に制御されていた。
【０００５】
また動画表示を行う液晶表示装置において、１フレームの中の大略２／３の時間で液晶表示部への表示データ書き込みを行い、残りの大略１／３の時間バックライトで液晶表示装置を照明するという技術も提案されている（例えば特許文献２参照）。
これはいわゆるインパルス駆動をすることにより動画の切れを良くするという技術だが、この特許文献２の技術においても昇圧回路が電力を消費するのは主に液晶表示部へ表示データを書き込む書き込み期間であるが、昇圧回路の制御に関してはなんら言及されていない。
【０００６】
【特許文献１】特開２０００−２１４４３５
【特許文献２】特開２０００−２９３１４２
【発明の開示】
【発明が解決しようとする課題】
【０００７】
解決しようとする問題点は液晶表示装置での昇圧回路の低消費電力化がなされていなかった点である。
【課題を解決するための手段】
【０００８】
上記課題を解決するための本発明の第１の手段は、ライン走査により表示部に電圧を印加してデータを書き込む書込走査期間と、データの書き込みを行わない非書込走査期間とを有する表示装置において、前記書込走査期間では通常動作モードで動作し、前記非書込走査期間の少なくとも一部の期間では、前記通常動作モードより小さな消費電力である消電動作モードで動作することを特徴とする。
【０００９】
さらに上記課題を解決するための本発明の第２の手段は、本発明の第１の手段に於いて前期画素に印加する電圧を発生するために所定のクロック信号で動作をする昇圧回路を有し、前記消電動作モードでは、前記昇圧回路が前記通常動作モードより小さい周波数の前記クロック信号で動作をすることを特徴とする請求項１に記載の表示装置。
【００１０】
さらに上記課題を解決するための本発明の第３の手段は、本発明の第１の手段又は第２の手段に於いて、複数のカラー光を順次繰り返し発光する光源と、該光源の発光光の透過を制御する表示部と前記昇圧回路とを有しており、１つのフィールドを複数のサブフィールドに分け、該複数のサブフィールドの少なくとも一部の期間において前記複数のカラー光のうちの特定のカラー光を発光させるとともに、前記特定のカラー光に対応した画像を
前記表示部に表示してカラー表示を行う表示装置であり、前記サブフィールドは少なくとも前記書込走査期間と、前記非書込走査期間とを有することを特徴とする。
【００１１】
また上記課題を解決するための本発明の第４の手段は、光源と、該光源の発光光の透過を制御する液晶表示部と、クロック信号に応答して該液晶表示部を駆動する電圧を発生させる昇圧回路とを有し、１つのフレーム期間中に前記液晶表示部に表示データを書き込む書き込み期間とデータの書き込みを休止する書き込み休止期間とを有する液晶表示装置であって、前記書き込み期間と少なくとも前記書き込み休止期間中の一期間とで前記クロック信号の周波数を異ならせたことを特徴とする。
【００１２】
さらに、上記課題を解決するための本発明の第５の手段は、本発明の第４の手段に於いて、前記クロック信号の周波数は前記書き込み期間では高めに、少なくとも前記書き込み休止期間の一期間では低めに設定したことを特徴とする。
【００１３】
また上記課題を解決するための本発明の第６の手段は、複数のカラー光を順次繰り返し発光する光源と、該光源の発光光の透過を制御する液晶表示部と、クロック信号に応答して該液晶表示部を駆動する電圧を発生させる昇圧回路とを有し、１つのフィールドを複数のサブフィールドに分け、該複数のサブフィールドの少なくとも一部の期間において前記複数のカラー光のうちの特定のカラー光を発光させるとともに、前記特定のカラー光に対応した画像を前記液晶表示部に表示してカラー表示を行う液晶表示装置であって、前記サブフィールドは少なくとも前記液晶表示部に表示データを書き込む書き込み期間と、データの書き込みを休止する書き込み休止期間とを有し、前記書き込み期間と少なくとも前記書き込み休止期間中の一期間とで前記クロック信号の周波数を異ならせたことを特徴とする。
【００１４】
さらに上記課題を解決するための本発明の第７の手段は、本発明の第６の手段に於いて、前記クロック信号の周波数は前記書き込み期間では高めに、少なくとも前記書き込み休止期間中の一期間では低めに設定したことを特徴とする。
【発明の効果】
【００１５】
本発明によれば、書き込み期間以外での昇圧回路の消費電力を著しく小さくすることが出来るので、液晶表示装置の消費電力を低減化することが可能となり、携帯用機器に適した液晶表示装置を提供することが出来る。
【発明を実施するための最良の形態】
【００１６】
ライン走査により表示部に電圧を印加してデータを書き込む書込走査期間と、データの書き込みを行わない非書込走査期間とを有する表示装置において、前記書込走査期間では通常動作モードで動作し、前記非書込走査期間の少なくとも一部の期間では、前記通常動作モードより小さな消費電力である消電動作モードで動作することを特徴とする表示装置。
【実施例１】
【００１７】
図４は本発明で用いる表示装置の例である液晶表示装置を説明する斜視図である。
図４（ａ）は白色光で表示部である液晶表示部を照明する装置の斜視図の例で、上基板である上ガラス１０と下基板である下ガラス１２の間に液晶物質が狭持され液晶表示部１４を構成している。図４で前記基板をガラスとしたがプラスチックを用いても良い。液晶表示部１４の下部には導光板１８が設けられ、導光板１８の側面には白色光を発光する冷
陰極管１６が設けられている。この冷陰極管１６と導光板１８とが白色光源２０を構成している。
このタイプの白色光で照明する液晶表示装置は、動画の切れを良くするため、特許文献２で説明されている、インパルス駆動する液晶表示装置に用いる。
【００１８】
図４（ｂ）はＦＳＣ方式液晶表示装置の斜視図の例で、上ガラス１０と下ガラス１２の間に液晶物質が狭持され液晶表示部１４を構成している。液晶表示部１４の下部には導光板１８が設けられ、導光板１８の側面には発光素子である赤色発光ダイオード（Ｒ  ＬＥＤ）２２，２８，緑色発光ダイオード（Ｇ  ＬＥＤ）２４，３０、青色発光ダイオード（Ｂ  ＬＥＤ）２６，３２が設けられ、これら発光ダイオード群２２〜３２と導光板１８とが多色光源２１を構成している。多色光源２１は赤、緑、青のカラー光を順次繰り返し発光し、液晶表示部１４が多色光源２１の発光光の透過を制御してＦＳＣ方式の液晶表示を行う。
なお以下の図において、同様の部材には同様の番号を付している。
【００１９】
図５は本発明で用いる液晶表示装置の液晶表示部を説明する図で、能動型マトリクス液晶パネルの例である。
図５において、上ガラス１０上には各画素３６毎にトランジスタ３４、キャパシタ３８が設けられ、トランジスタ３４とキャパシタ３８の接続点が液晶画素３６の電極に接続されている。トランジスタのゲート電極Ｇは表示用走査電極群３５に接続されて各行のトランジスタ３４が順次走査すなわち選択され、選択されたトランジスタ３４は導通状態になって、ソース電極Ｓに印加された信号電極群３７の表示データをキャパシタ３８に取り込む。液晶画素３６はキャパシタ３８に取り込まれた電圧に従って駆動される。１行分の複数の画素３６のそれぞれのトランジスタ３４のゲート電極は、一本の表示用走査電極３５に接続されおり、該それぞれのトランジスタ３４によってそれぞれの液晶画素３６及びキャパシタ３８に表示情報が書き込まれ、キャパシタ３８によって表示情報は保持されている。上ガラス１０に対向する下ガラス１２には共通電極と称される電極が配設される。
このように本発明で用いる液晶表示部は画素にデータが書き込まれると少なくとも一定の時間表示状態を保持することが出来る。
なおこのような電極群は上ガラス１０上に形成しても下ガラス１２上に形成しても良い。
【００２０】
図６は本発明による液晶表示装置のブロック図である。
図６において、制御信号作成回路４２は信号Φに応答して各種の制御信号を作成し、それら信号のうち昇圧回路４４を制御するクロック信号群４３を昇圧回路４４に送る。該昇圧回路４４の出力電圧群４５は制御信号作成回路４２に戻され、前記クロック信号の電位を徐々に所望の電圧値とすると同時に表示駆動回路４６に送られ液晶表示部を駆動する電圧となっている。
制御信号作成回路４２は表示駆動用の各種の制御信号を所望の電位を持った信号に変換して表示駆動回路４６に送り、表示駆動回路４６は液晶表示部１４を駆動して必要な表示データを書き込む。
なお、図５で示した能動型マトリクス液晶パネルは表示駆動回路４６の一部と液晶表示部とを兼備している。
【００２１】
図７は昇圧回路の例を示した図で、３倍昇圧回路を示している。
図６の昇圧回路４４には図７に示したような昇圧回路が必要な電圧に応じて必要な回路数用意されている。
図７において、Ｖの電位を供給する電源ＶＤＤとＧＮＤ間にΦ１信号がゲートに印加されたＰチャネルトランジスタＰＴｒ１と同じくΦ１信号がゲートに印加されたＮチャネルトランジスタＮＴｒ１が直列に接続され、別ルートの配線でΦ２の反転信号がゲートに印
加されたＰチャネルトランジスタＰＴｒ２とΦ２の信号がゲートに印加されたＰチャネルトランジスタＰＴｒ３とΦ１信号がゲートに印加されたＮチャネルトランジスタＮＴｒ２が直列に接続されている。また電源ＶＤＤに直列にΦ３の反転信号がゲートに印加されたＰチャネルトランジスタＰＴｒ４とΦ３信号がゲートに印加されたＰチャネルトランジスタＰＴｒ５が接続されている。キャパシタＣ１は前記ＰチャネルトランジスタＰＴｒ２と前記ＰチャネルトランジスタＰＴｒ３との接続点と前記ＰチャネルトランジスタＰＴｒ１と前記ＮチャネルトランジスタＮＴｒ１との接続点との間に接続され、キャパシタＣ２は前記ＰチャネルトランジスタＰＴｒ４と前記ＰチャネルトランジスタＰＴｒ５との接続点と前記ＰチャネルトランジスタＰＴｒ３と前記ＮチャネルトランジスタＮＴｒ２との接続点との間に接続され、キャパシタＣ３は前記ＰチャネルトランジスタＰＴｒ５の前記ＰチャネルトランジスタＰＴｒ４と接続される端子と反対側の端子とＧＮＤとの間に接続されている。
【００２２】
図８は図７の昇圧回路を構成する各トランジスタをスイッチングさせるためのクロック信号群を示した図で、図中の２ＶはＶの２倍の電圧、３ＶはＶの３倍の電圧を示している。
図７で注目すべきは、Φ１信号、Φ１の反転信号は図８に示す如く０−Ｖ間の電位を取る信号であるのに対し、Φ２信号、Φ２の反転信号は０−２Ｖ間の電位を取る信号、Φ３信号、Φ３の反転信号は０−３Ｖ間の電位を取る信号となっている点である。
これらの信号群が図８に示した電位を取ることにより、図７の昇圧回路を構成する各トランジスタに所望のスイッチング動作をさせることが出来る。
【００２３】
図９は図７の昇圧回路の動作を説明する第１の図で、キャパシタＣ１，Ｃ２の充電過程を示している。
図９、１０においては各トランジスタのスイッチング動作を２端子スイッチを用いて表している。
図８に示したΦ１信号がＶレベルの時はキャパシタＣ１，Ｃ２の充電過程で、ＰチャネルトランジスタＰＴｒ２，ＰＴｒ４，ＮチャネルトランジスタＮＴｒ１，ＮＴｒ２が導通状態となり、ＰチャネルトランジスタＰＴｒ１，ＰＴｒ３，ＰＴｒ５は非導通状態となる。
その結果キャパシタＣ１には、ＶＤＤからＰチャネルトランジスタＰＴｒ２、ＮチャネルトランジスタＮＴｒ１を介して電流が流れ、キャパシタＣ１には電圧Ｖ分の電荷が充電される。
またキャパシタＣ２には、ＶＤＤからＰチャネルトランジスタＰＴｒ４、ＮチャネルトランジスタＮＴｒ２を介して電流が流れ、キャパシタＣ２にも電圧Ｖ分の電荷が充電される。
【００２４】
図１０は図７の昇圧回路の動作を説明する第２の図で、キャパシタＣ３の充電過程を示している。
図８に示したΦ１信号が０レベルの時はキャパシタＣ３の充電過程で、ＰチャネルトランジスタＰＴｒ１，ＰＴｒ３，ＰＴｒ５が導通状態となり、ＰチャネルトランジスタＰＴｒ２，ＰＴｒ４，ＮチャネルトランジスタＮＴｒ１，ＮＴｒ２は非導通状態となる。
その結果電源ＶＤＤ→ＰチャネルトランジスタＰＴｒ１→キャパシタＣ１→ＰチャネルトランジスタＰＴｒ３→キャパシタＣ２→ＰチャネルトランジスタＰＴｒ５の直列ループがキャパシタＣ３に接続され、キャパシタＣ１，Ｃ２に蓄えられた電荷がキャパシタＣ３に充電される。
図８示したΦ１信号がＶレベル０レベルを繰り返すことにより、図９に示したキャパシタＣ１，Ｃ２の充電過程と図１０に示したキャパシタＣ３の充電過程とが繰り返され、キャパシタＣ３には３Ｖの電荷が充電される。キャパシタＣ３に充電された電圧値が昇圧回路の出力で、図６に示した表示駆動回路の必要な信号の電源となる。
【００２５】
表示駆動回路の電力消費が大きい時にはキャパシタＣ３に蓄えられた電荷の放出速度が速いため、図８に示した信号群の周波数を速くしてキャパシタＣ３に素早く電荷を補給する必要があるが、表示駆動回路の電力消費が少ない時はキャパシタＣ３に蓄えられた電荷の放出速度が遅いため図８に示したクロック信号群の周波数を低くしても表示品質が問題になることはない。
図８に示した信号群の周波数を速くすれば昇圧回路部での消費電力が増加し、遅くすれば消費電力が減少するのは勿論である。
【００２６】
図１は本発明によるカラー表示装置の第１の実施例を説明をするタイミングチャートで、本発明をＦＳＣ方式カラー表示装置の例であるＦＳＣ方式カラー液晶表示装置に用いた例を説明している。
図１においては、１フィールドの時間Ｔを３つのサブフィールド、ＲサブフィールドｔＲ，ＧサブフィールドｔＧ、ＢサブフィールドｔＢに分割している。各サブフィールドは各色で液晶表示部に表示すべきデータを書き込むタイミングの立ち上がり、すなわち書き込み期間信号の立ち上がりに同期して切り替わるものとしている。
各サブフィールドは書き込み期間信号がＨレベルの時の書込み期間ｔｗｒ、応答待期間信号がＨレベルの時の応答待期間ｔｗａ、応答待期間ｔｗａに続く発光期間ｔｌｉにさらに分割されている。Ｒサブフィールドにおいては赤色（Ｒ）光源が発光期間ｔｌｉで発光し（Ｒ発光期間）、Ｇサブフィールドにおいては緑色（Ｇ）光源が発光期間ｔｌｉで発光し（Ｇ発光期間）、Ｂサブフィールドにおいては青色（Ｂ）光源が発光期間ｔｌｉで発光し（Ｂ発光期間）する。
同様に構成された次のフィールドでは液晶表示部１４への印加電圧が反転されて交流電圧駆動とされ、２つのフィールドで１フレームが構成されている。
【００２７】
ＲサブフィールドｔＲにおいて、書き込み期間ｔｗｒで液晶表示装置に赤色で表示すべきデータを書き込み、応答期間ｔｗａで書き込まれたデータに応答して液晶の各画素が状態変化するのを待ち、発光期間ｔｌｉで始めて赤色光を発光させている。このように書き込み期間ｔｗｒ及び応答待期間ｔｗａにおいては赤色光を発光させないことにより液晶表示装置の各画素が赤色の表示データに従った状態になっていない時は液晶表示装置を照明せず、混色を避けている。Ｇサブフィールド、Ｂサブフィールドにおいても同様の制御が行われている。
【００２８】
ここで応答待ち期間ｔｗａ及び発光期間ｔｌｉでは液晶表示装置に表示データの書き込みが行われておらず書き込み休止期間に相当する。
昇圧回路４４に与える従来のクロック信号Φは図１の「従来クロック信号Φ」と示されたように、書き込み期間ｔｗａ、書き込み休止期間である応答待ち期間ｔｗａ、発光期間ｔｌｉを通じて周波数が一定であったが本発明においては図１の「本発明のクロック信号Φ」に示したようにクロック信号Φの周波数を変えている。
【００２９】
図２は本発明のクロック信号Φの時間軸を拡大して示した図である。
本発明によるクロック信号Φは図示のように、書き込み期間ｔｗｒにおいては周波数を高めに、書き込み休止期間である応答待ち期間ｔｗａ、発光期間ｔｌｉにおいては周波数を低めに設定している。
書き込み休止期間におけるクロック信号Φの周波数は、昇圧回路に用いる回路部品の定数、表示駆動回路の消費電流等によって決定されるもので、理想的にはクロック信号Φを停止することも考えられる。
昇圧回路４４の消費電力は表示駆動回路４６が液晶表示部１４にデータを書き込む書き込み期間ｔｗｒで大きく、書き込み休止期間である応答待ち期間ｔｗａ、発光期間ｔｌｉでは書き込みが行われないため小さくなっている。従って図に示したように書き込み休
止期間で昇圧回路４４に与えるクロック信号群４３の周波数を低くしても機能上の問題は生じない。
かつ、書き込み休止期間ではクロック信号群４３の周波数が低めに設定されているため、昇圧回路４４の消費電力を低減化できており、昇圧回路４４、液晶表示部１４等を含んだ液晶表示装置全体を低消費電力の、携帯機器に適したものとする効果を生じている。
【００３０】
なお、図１に示したＦＳＣ駆動方式では光源の発光が時分割的に行われており、インパルス駆動が行われていると考えられる。
【００３１】
図３は本発明の別の態様を示した図で、図２と同様クロック信号Φの時間軸を拡大して示している。
図３においてクロック信号Φは、書込走査期間の書き込み期間ｔｗｒよりも期間ｔｆ先行して周波数が高くなるよう設定されており、書き込み期間ｔｗｒと期間ｔｆでは周波数を高めに、それ以外の期間、例えば非書込走査期間では周波数を低めに設定している。すなわち書き込み期間ｔｗｒと少なくとも前記書き込み休止期間中の一期間とで、前記クロック信号の周波数を異ならせている。
このように構成したことにより書き込み休止期間で昇圧回路４４の出力電圧が低下していても、書き込み期間ｔｗｒが始まるまでに昇圧回路４４の出力電圧を所望の設定値に戻すことが出来る。
【実施例２】
【００３２】
図１１は本発明によるカラー表示装置の第２の実施例を説明をするタイミングチャートである。
図１１は、動画表示を行う表示装置の例である液晶表示装置において、１フレームの中の液晶表示部１４へ表示データを書き込む期間を除いた期間のみバックライトで液晶表示装置を照明するという駆動方式を説明するタイミングチャートで、該駆動方式は特許文献２で説明されている。
【００３３】
図１１において、第ＮフレームｔＮは書き込み期間ｔｗｒと発光期間ｔｌｉを有し、書き込み期間ｔｗｒでは液晶表示部のｎ行のラインを走査ライン１〜走査ラインｎ信号で順に選択してデータを書き込んでいる。走査ライン１信号がＨレベルの時図５に示した表示用走査電極群３５の最上行を選択し、走査ライン２信号がＨレベルの時表示用走査電極群３５の第二行目を選択し、走査ラインｎ信号がＨレベルの時表示用走査電極群３５の最下行を選択してデータを書き込んでいる。書き込み期間ｔｗｒで液晶表示部１４へのデータの書き込みが完了した後発光期間ｔｌｉでバックライトＢＬをＯＮにして液晶表示部１４を照明する。第Ｎ＋１フィールドも同様に構成され、このような構成のフィールドが液晶表示部１４で表示を継続している間繰り返される。
このように各フレームで液晶表示部１４が間欠的にバックライトＢＬによって照明されるため、液晶がインパルス駆動されたこととなり、動画の切れの良い表示となっている。
なお図１１においては１フレーム中の書き込み期間ｔｗｒを除いた期間が書き込み休止期間となっている。
【００３４】
本発明の液晶表示装置は、昇圧回路４４に与えるクロック信号Φが図示のように、書込走査期間の書き込み期間ｔｗｒにおいては周波数を高めに、非書込走査期間の書き込み休止期間の少なくとも一部の期間においては周波数を低めに設されている。
書き込み休止期間におけるクロック信号Φの周波数は、昇圧回路に用いる回路部品の定数、表示駆動回路の消費電流等によって決定されるもので、理想的にはクロック信号Φを停止することも考えられる。
昇圧回路４４の消費電力は表示駆動回路４６が液晶表示部１４にデータを書き込む書き込み期間ｔｗｒで大きく、書き込み休止期間である応答待ち期間ｔｗａ、発光期間ｔｌ
ｉでは書き込みが行われないため小さくなっている。従って図に示したように書き込み休止期間で昇圧回路４４に与えるクロック信号群４３の周波数を遅くしても機能上の問題は生じない。
かつ、書き込み休止期間ではクロック信号群４３の周波数が低めに設定されているため、昇圧回路４４の消費電力を低減化できており、昇圧回路４４、液晶表示部１４等を含んだ液晶表示装置全体を低消費電力の、携帯機器に適したものとする効果を生じている。
【００３５】
このように、本発明の表示装置の実施例である液晶表示装置は、走査されるラインの走査により表示部に電圧を印加してデータを書き込む書込走査期間と、データの書き込みを行わない非書込走査期間とを有する液晶表示装置が、前記書込走査期間では通常動作モード例えば従来のクロック周波数で動作し、前記非書込走査期間の少なくとも一部の期間では、前記通常動作モードに於けるクロックの周波数よりクロック周波数を低めにし前記通常動作モードより小さな消費電力である消電動作モードで動作するようになしている。
また、本発明の表示装置の実施例である液晶表示装置は、前期画素に印加する電圧を発生するために所定のクロック信号で動作をする昇圧回路を有し、前記消電動作モードでは、前記昇圧回路が前記通常動作モードより小さい周波数の前記クロック信号で動作をする。
【００３６】
なお、液晶表示装置の表示を長時間休止している状態で、キー入力回路以外の全システムを休止し電力消費を押さえるという方式は従来からなされていた。しかし本発明のように液晶表示装置が表示を継続している、液晶表示装置がいわゆるインパルス駆動されている状態で、昇圧回路入力であるクロック信号の周波数を周期的に遅くし消費電力の低減化を計ることは本発明によって始めて得られる技術である。
【００３７】
また、本発明の方式は、液晶表示部がメモリー性を有しており、１つのフレームもしくはフィールド中が液晶表示部への書き込み期間と書き込み休止期間とに分離されている液晶表示装置にはすべて有効であることは勿論である。
なお、本発明は液晶表示装置に限らず、低消費電流の表示装置であって表示部に対するデータの書き込みが間欠的になされ、昇圧された制御信号を必要とする表示装置に有効である。
【図面の簡単な説明】
【００３８】
【図１】本発明によるカラー表示装置の第１の実施例を説明をするタイミングチャートである。
【図２】図１のクロック信号Φの時間軸を拡大して示した図である。
【図３】本発明の別の態様を示した図で、図１のクロック信号Φの時間軸を拡大して示した図である。
【図４】本発明で用いる液晶表示装置を説明する斜視図である。
【図５】本発明で用いる液晶表示装置の液晶表示部を説明する図である。
【図６】本発明による液晶表示装置のブロック図である。
【図７】昇圧回路の例を示した図である。
【図８】昇圧回路を構成する各トランジスタをスイッチングさせるためのクロック信号群を示した図である。
【図９】昇圧回路の動作を説明する第１の図で、キャパシタＣ１，Ｃ２の充電過程を示している。
【図１０】昇圧回路の動作を説明する第２の図で、キャパシタＣ３の充電過程を示している。
【図１１】本発明によるカラー表示装置の第２の実施例を説明をするタイミングチャートである。
【図１２】従来技術を説明する図である。
【符号の説明】
【００３９】
２０    白色光源
２１  多色光源
１４  液晶表示部
４４  昇圧回路
【図１】
2006053349.tif 000003
【図２】
2006053349.tif 000004
【図３】
2006053349.tif 000005
【図４】
2006053349.tif 000006
【図５】
2006053349.tif 000007
【図６】
2006053349.tif 000008
【図７】
2006053349.tif 000009
【図８】
2006053349.tif 000010
【図９】
2006053349.tif 000011
【図１０】
2006053349.tif 000012
【図１１】
2006053349.tif 000013
【図１２】
2006053349.tif 000014
【手続補正書】
【提出日】平成16年8月26日(2004.8.26)
【手続補正１】
【補正対象書類名】特許請求の範囲
【補正対象項目名】全文
【補正方法】変更
【補正の内容】
【特許請求の範囲】
【請求項１】
ライン走査により表示部に電圧を印加してデータを書き込む書込走査期間と、データの書き込みを行わない非書込走査期間とを有する表示装置において、
前記書込走査期間では通常動作モードで動作し、前記非書込走査期間の少なくとも一部の期間では、前記通常動作モードより小さな消費電力である消電動作モードで動作することを特徴とする表示装置。
【請求項２】
前期表示装置は、前期画素に印加する電圧を発生するために所定のクロック信号で動作をする昇圧回路を有し、前記消電動作モードでは、前記昇圧回路が前記通常動作モードより小さい周波数の前記クロック信号で動作をすることを特徴とする請求項１に記載の表示装置。
【請求項３】
前記表示装置は、複数のカラー光を順次繰り返し発光する光源と、該光源の発光光の透過を制御する表示部と前記昇圧回路とを有しており、１つのフィールドを複数のサブフィールドに分け、該複数のサブフィールドの少なくとも一部の期間において前記複数のカラー光のうちの特定のカラー光を発光させるとともに、前記特定のカラー光に対応した画像を前記表示部に表示してカラー表示を行う表示装置であり、前記サブフィールドは少なくとも前記書込走査期間と、前記非書込走査期間とを有することを特徴とする請求項１又は２に記載の表示装置。
【請求項４】
光源と、該光源の発光光の透過を制御する表示部と、クロック信号に応答して該表示部を駆動する電圧を発生させる昇圧回路とを有し、１つのフレーム期間中に前記表示部に表示データを書き込む書き込み期間とデータの書き込みを休止する書き込み休止期間とを有する表示装置であって、
前記書き込み期間と少なくとも前記書き込み休止期間中の一期間とで前記クロック信号の周波数を異ならせたことを特徴とする表示装置。
【請求項５】
前記クロック信号の周波数は前記書き込み期間では高めに、少なくとも前記書き込み休止期間の一期間では低めに設定したことを特徴とする請求項４記載の表示装置。
【請求項６】
複数のカラー光を順次繰り返し発光する光源と、該光源の発光光の透過を制御する表示部と、クロック信号に応答して該表示部を駆動する電圧を発生させる昇圧回路とを有し、１つのフィールドを複数のサブフィールドに分け、該複数のサブフィールドの少なくとも
一部の期間において前記複数のカラー光のうちの特定のカラー光を発光させるとともに、前記特定のカラー光に対応した画像を前記表示部に表示してカラー表示を行う表示装置であって、
前記サブフィールドは少なくとも前記表示部に表示データを書き込む書き込み期間と、データの書き込みを休止する書き込み休止期間とを有し、
前記書き込み期間と少なくとも前記書き込み休止期間中の一期間とで前記クロック信号の周波数を異ならせたことを特徴とする表示装置。
【請求項７】
前記クロック信号の周波数は前記書き込み期間では高めに、少なくとも前記書き込み休止期間中の一期間では低めに設定したことを特徴とする請求項６記載の表示装置。
【手続補正３】
【補正対象書類名】明細書
【補正対象項目名】００１１
【補正方法】変更
【補正の内容】
【００１１】
また上記課題を解決するための本発明の第４の手段は、光源と、該光源の発光光の透過を制御する表示部と、クロック信号に応答して該表示部を駆動する電圧を発生させる昇圧回路とを有し、１つのフレーム期間中に前記表示部に表示データを書き込む書き込み期間とデータの書き込みを休止する書き込み休止期間とを有する表示装置であって、前記書き込み期間と少なくとも前記書き込み休止期間中の一期間とで前記クロック信号の周波数を異ならせたことを特徴とする。
【手続補正４】
【補正対象書類名】明細書
【補正対象項目名】００１３
【補正方法】変更
【補正の内容】
【００１３】
また上記課題を解決するための本発明の第６の手段は、複数のカラー光を順次繰り返し発光する光源と、該光源の発光光の透過を制御する表示部と、クロック信号に応答して該表示部を駆動する電圧を発生させる昇圧回路とを有し、１つのフィールドを複数のサブフィールドに分け、該複数のサブフィールドの少なくとも一部の期間において前記複数のカラー光のうちの特定のカラー光を発光させるとともに、前記特定のカラー光に対応した画像を前記表示部に表示してカラー表示を行う表示装置であって、前記サブフィールドは少なくとも前記表示部に表示データを書き込む書き込み期間と、データの書き込みを休止する書き込み休止期間とを有し、前記書き込み期間と少なくとも前記書き込み休止期間中の一期間とで前記クロック信号の周波数を異ならせたことを特徴とする。
【手続補正５】
【補正対象書類名】明細書
【補正対象項目名】００１５
【補正方法】変更
【補正の内容】
【００１５】
本発明によれば、書き込み期間以外での昇圧回路の消費電力を著しく小さくすることが出来るので、表示装置の消費電力を低減化することが可能となり、携帯用機器に適した表示装置を提供することが出来る。